(57)【特許請求の範囲】
【請求項１】
合成樹脂からなる鍵盤シャーシと、
前記鍵盤シャーシに回動自在に設けられた鍵と、
前記鍵盤シャーシに回動自在に設けられ、前記鍵の押鍵・離鍵に伴い連動するハンマーと、
前記ハンマーの回動範囲を規制するストッパと
を有する鍵盤装置の鍵機構において、
前記鍵盤シャーシは、上方側に位置して前記鍵の整列方向に延長するとともに前記鍵が回動自在に設けられる第１のシャーシ部と、下方側に位置して前記鍵の整列方向に延長するとともに前記鍵盤装置の底板に取り付けられる第２のシャーシ部と、前記第１のシャーシ部および前記第２のシャーシ部の延長方向に対して垂直方向に延長して前記鍵の整列方向に所定の間隔を開けて平行に複数配設されたリブ部とを有し、
前記リブ部は、前記第１のシャーシ部の近傍と前記第２のシャーシ部の近傍との少なくともいずれか一方に前記ストッパを挿入可能な切り欠き部を備え、前記ストッパは、前記切り欠き部の少なくとも１つの面と前記第１のシャーシ部または前記第２のシャーシ部の一部の面との間で保持される
ことを特徴とする鍵盤装置の鍵機構。
【請求項２】
請求項１に記載の鍵盤装置の鍵機構において、
前記切り欠き部は、前記リブ部の隣り合うもの同士で同じ位置に設けられ、前記ストッパは、隣り合うもの同士で同じ位置に前記切り欠き部を備えた前記リブ部間に延長する
ことを特徴とする鍵盤装置の鍵機構。
【請求項３】
請求項１または２のいずれか１項に記載の鍵盤装置の鍵機構において、
前記切り欠き部は、前記切り欠き部と前記ストッパとが当接する端面を、前記リブ部の延長方向から見て凸になるような曲面に形成した
ことを特徴とする鍵盤装置の鍵機構。
【請求項４】
請求項１、２または３のいずれか１項に記載の鍵盤装置の鍵機構において、
前記リブ部は、前記切り欠き部に連接して形成された第２の切り欠き部を備え、前記切り欠き部と前記第２の切り欠き部との間には、前記ストッパを係止する段部が形成された
ことを特徴とする鍵盤装置の鍵機構。
【発明の詳細な説明】
【０００１】
【発明の属する技術分野】
本発明は、鍵盤装置の鍵機構に関し、さらに詳細には、電子ピアノなどの電子楽器の鍵盤装置において、当該鍵盤装置の鍵の押鍵操作／離鍵操作に連動してハンマーを回動させる鍵盤装置の鍵機構に関する。
【０００２】
【従来の技術】
従来より、電子ピアノなどの電子楽器に用いられる鍵盤装置においては、当該鍵盤装置の鍵の押鍵・離鍵の際にアコースティック・ピアノに近似したタッチ感を得るために、ハンマーと称される質量体が配設されている。
【０００３】
一般に、こうした鍵盤装置においては、鍵ならびにハンマーを回動自在に支持する鍵盤シャーシとしては、強度確保のために板金製の鍵盤シャーシを用いていた。
【０００４】
ところが、板金製の鍵盤シャーシは重いため、鍵盤装置全体の重量増大を招くという欠点があった。
【０００５】
こうした欠点を解決するために、板金製の鍵盤シャーシに代えて、軽量な樹脂製の鍵盤シャーシが用いられるようになっている。
【０００６】
ところが、樹脂製の鍵盤シャーシは、板金製の鍵盤シャーシと比較すると剛性が低いという欠点があった。このため、樹脂製の鍵盤シャーシにおいては、鍵盤シャーシと一体的にリブを形成し、このリブにより補強を行って剛性の向上を図っていた。
【０００７】
従来、こうしたリブにより補強した樹脂製の鍵盤シャーシにおいては、ハンマーと当接してその回動範囲を規制する際の衝撃緩衝に使用される弾性部材よりなるストッパは、両面テープや接着剤により鍵盤シャーシの所定の場所に接着されていた。
【０００８】
しかしながら、リブにより補強した鍵盤シャーシが結晶性樹脂により形成されている場合には、両面テープや接着剤が接着し難いため、両面テープや接着剤により所定の場所に接着されるハンマーの回動範囲を規制するストッパが脱落しやすいという問題点があった。
【０００９】
【発明が解決しようとする課題】
本発明は、上記したような従来の技術の問題点に鑑みてなされたものであり、その目的とするところは、リブにより補強した樹脂製の鍵盤シャーシに、容易に脱落することがないようにハンマーの回動範囲を規制するストッパを取り付けることができるようにした鍵盤装置の鍵機構を提供することにある。
【００１０】
【課題を解決するための手段】
上記目的を達成するために、本発明のうち請求項１に記載の発明は、合成樹脂からなる鍵盤シャーシと、上記鍵盤シャーシに回動自在に設けられた鍵と、上記鍵盤シャーシに回動自在に設けられ、上記鍵の押鍵・離鍵に伴い連動するハンマーと、上記ハンマーの回動範囲を規制するストッパとを有する鍵盤装置の鍵機構において、上記鍵盤シャーシは、上方側に位置して上記鍵の整列方向に延長するとともに上記鍵が回動自在に設けられる第１のシャーシ部と、下方側に位置して上記鍵の整列方向に延長するとともに上記鍵盤装置の底板に取り付けられる第２のシャーシ部と、上記第１のシャーシ部および上記第２のシャーシ部の延長方向に対して垂直方向に延長して上記鍵の整列方向に所定の間隔を開けて平行に複数配設されたリブ部とを有し、上記リブ部は、上記第１のシャーシ部の近傍と上記第２のシャーシ部の近傍との少なくともいずれか一方に上記ストッパを挿入可能な切り欠き部を備え、上記ストッパは、上記切り欠き部の少なくとも１つの面と上記第１のシャーシ部または上記第２のシャーシ部の一部の面との間で保持されるようにしたものである。
【００１１】
従って、本発明のうち請求項１に記載の発明によれば、ストッパが切り欠き部の少なくとも１つの面と第１のシャーシ部または第２のシャーシ部の一部の面との間で保持されることになるので、ストッパが鍵盤シャーシから容易に脱落することはない。
【００１２】
ここで、例えば、本発明のうち請求項２に記載の発明のように、上記切り欠き部を上記リブ部の隣り合うもの同士で同じ位置に設け、上記ストッパを隣り合うもの同士で同じ位置に上記切り欠き部を備えた上記リブ部間に延長して配設するようにしてもよい。
【００１３】
このように構成すると、隣り合うもの同士で同じ位置に切り欠き部を備えたリブ部間にストッパを配設する作業を、極めて簡単に行うことができるようになる。
【００１４】
また、上記切り欠き部は、例えば、本発明のうち請求項３に記載の発明のように、上記切り欠き部と上記ストッパとが当接する端面を、前記リブ部の延長方向から見て凸になるような曲面に形成するようにしてもよい。
【００１５】
このように構成すると、ストッパを切り欠き部と第１のシャーシ部または第２のシャーシ部との間に保持する際に、その作業を容易に行うことができるようになる。
【００１６】
また、上記リブ部は、例えば、本発明のうち請求項４に記載の発明のように、上記切り欠き部に連接して形成された第２の切り欠き部を備えるようにし、上記切り欠き部と上記第２の切り欠き部との間に、上記ストッパを係止する段部を形成するようにしてもよい。
【００１７】
このように構成すると、まずストッパを第２の切り欠き部内に挿入し、それからストッパを弾性変形させながら切り欠き部内に挿入することができるので、ストッパを切り欠き部と第１のシャーシ部または第２のシャーシ部との間に保持する際に、その作業を一層容易に行うことができるようになるとともに、ストッパが段部に係止されることになるので、ストッパの切り欠き部からの脱落が一層確実に防止される。
【００１８】
【発明の実施の形態】
以下、添付の図面に基づいて、本発明による鍵盤装置の鍵機構の実施の形態を詳細に説明するものとする。
【００１９】
図１には本発明による鍵盤装置の鍵機構の実施の形態の一部を破断して示した側面図が示されており、図２には図１のＩＩ−ＩＩ線による部分断面図が示されており、図３には図１のＩＩＩ−ＩＩＩ線による部分断面図が示されており、図４には図３の部分拡大図が示されており、図５には図１に示す鍵盤装置の鍵機構の平面図が示されている。
【００２０】
図１において、符号１０は電子ピアノなどの電子楽器に用いられる鍵盤装置における白鍵および黒鍵を含む鍵であり、符号１２は鍵盤装置本体の底板（図示せず）の取付面上にネジ止めなどにより締結された樹脂製の鍵盤シャーシである。
ここで、鍵盤シャーシ１２は、鍵盤シャーシ１２の後方側の上方端部に位置して回動支持軸１４を介して鍵１０を回動自在に支持する鍵軸受部１６を備えた第１シャーシ部１２ａと、鍵盤シャーシの下方部位に位置して底板に取り付けられる第２シャーシ部１２ｂと、第１シャーシ部１２ａと第２シャーシ部１２ｂとを連結して鍵盤シャーシ１２の強度を補強することにより剛性を向上させるためのリブ部１２ｃとより構成されている。
【００２１】
第１シャーシ部１２ａならびに第２シャーシ部１２ｂは、鍵１０の整列方向（図５における矢印Ａ方向）に延長している。また、リブ部１２ｃは、第１シャーシ部１２ａならびに第２シャーシ部１２ｂの延長方向に対して垂直方向に延長するようにして、鍵１０の整列方向（図５における矢印Ａ方向）に所定の間隔を開けて平行に複数箇所配設されている。
【００２２】
また、符号１８はクランク状に曲折された形状を備えていて、第２シャーシ部１２ｂの中央部位に一体的に形成されたＵ溝支持部２０に前方端部側に形成された回動軸１８ａを回動自在に支持されたハンマーであり、符号２２は第２シャーシ部１２ｂに支持された接点基板２４上に配設されるとともに鍵１０に対応して設けられて押鍵操作／離鍵操作に伴って発音制御するためのスイッチである。
【００２３】
ここで、鍵１０の下方にはアクチュエータ１０ａが形成されており、アクチュエータ１０ａの下方端部は、ハンマー１８の前方端部側の上面に形成されたアクチュエータ受け部１８ｂと当接している。
【００２４】
また、鍵１０の中間部より前方には、下方に向って突出部材１０ｂが垂下しており、この突出部材１０ｂが鍵盤シャーシ１２のリブ部１２ｃ間に形成された開口部を貫通している。そして、突出部材１０ｂの先端部に前向きに形成された鉤状の爪部１０ｃが、第２シャーシ部１２ｂに固着された緩衝部材２６の下面に当接することにより離鍵時における鍵１０の上限を規制するとともに、緩衝部材２６の上面に鍵１０の裏面が当接することにより押鍵時における鍵１０の下限を規制している。
【００２５】
また、鍵１０の前端部には、鍵１０と一体的に形成された鍵ガイド部１０ｃが下方に向かって垂下している。
【００２６】
さらに、第２シャーシ部１２ｂの後方側の底部の上面には、ハンマー１８の後部１８ｃと当接する位置に、ハンマー１８と当接してその回動範囲を規制するとともに、その際の衝撃を緩衝するために弾性材料により形成されたストッパ２８が配設されている。ハンマー１８の後部１８ｃがストッパ２８と当接することにより、ハンマー１８の回動時における下限を規制している。
【００２７】
ここで、ストッパ２８の鍵盤シャーシ１２への取り付けについて説明すると、リブ部１２ｃのストッパ２８を配置しようとする部位、即ち、第２シャーシ部１２ｂの直上に位置するリブ部１２ｃの部位に第１切り欠き部３０が形成されており、第１切り欠き部３０の高さｈ１はストッパ２８の高さｈ２より若干小さく設定されており、第１切り欠き部３０の幅Ｗ１はストッパ２８の幅より若干小さく設定されている。なお、第１切り欠き部３０は、隣り合うリブ部１２ｃ同士において、同じ位置に形成されている。
【００２８】
また、リブ部１２ｃの第１切り欠き部３０の下部端面３０ａは、曲面に形成されている。
【００２９】
さらに、リブ部１２ｃには、第１切り欠き部３０と連接する第２切り欠き部３２が形成されている。この第２切り欠き部３２は、下方が開口するとともに、その上部端面３２ａが第１切り欠き部３０の下部端面３０ａより下方に位置するように形成されており、第１切り欠き部３０と第２切り欠き部３２との連接部には段部３４が形成されている。そして、第２切り欠き部３２の幅Ｗ２はストッパ２８の幅よりも大きく設定されている。
【００３０】
なお、第２切り欠き部３２の下方角部３２ｂは、後述するストッパ２８の鍵盤シャーシ１２への取り付けの際に、スットパ２８の挿入を容易にするために曲面形状に形成してもよい。
【００３１】
また、ストッパ２８の長さは、鍵１０の整列方向（図５における矢印Ａ方向）に沿って全てのハンマー１８が当接可能なように延長している。
【００３２】
そして、ストッパ２８を鍵盤シャーシ１２へ取り付けるには、まず、鍵盤シャーシ１２を裏返して、複数のリブ部１２ｃ間に延長するストッパ２８を鍵盤シャーシ１２の上方（鍵盤シャーシ１２を裏返した状態における上方）から第２切り欠き部３２内に挿入し、それからストッパ２８を弾性変形させながら第１切り欠き部３０内に押し込んで挿入するものである。そうすると、ストッパ２８は、第１切り欠き部３０の下部端面３０ａと第２シャーシ部１２ｂの上面との間に挟持されて保持され、第１切り欠き部３０から容易に脱落することはない。しかも、ストッパ２８の上方角部が段部３４に係止されることになるので、第１切り欠き部３０からの脱落は一層確実に防止される。
【００３３】
従って、両面テープや接着剤を用いることなしに、容易に脱落することがないようにストッパ２８を鍵盤シャーシ１２へ取り付けることができる。
【００３４】
また、ストッパ２８を鍵盤シャーシ１２へ取り付ける際に、始めにストッパの挿入が容易な下方が開口した第２切り欠き部３２内にストッパ２８を挿入し、それから第１切り欠き部３０内にストッパ２８を押し込むようにしたので、第１切り欠き部３０内へストッパ２８を挿入する際の作業を容易に行うことができる。さらに、第１切り欠き部３０の下部端面３０ａが曲面に形成されているので、第１切り欠き部３０内へストッパ２８を挿入する際に容易に押し込むことができる。
【００３５】
しかも、ストッパ２８を鍵１０の整列方向（図５における矢印Ａ方向）に沿って全てのハンマー１８が当接可能なように延長して構成しているので、ストッパ２８を第２切り欠き部３２を介して第１切り欠き部３０内へ押し込むという一連の簡単な作業により、全てのハンマー１８に対応してストッパ２８を配設することができる。
【００３６】
また、第１シャーシ部１２ａの下面には、ハンマー１８の腕部１８ｄと当接する位置に、ハンマー１８と当接してその回動範囲を規制するとともに、その際の衝撃を緩衝するために弾性材料により形成されたストッパ３６が配設されている。ハンマー１８の腕部１８ｄがストッパ３６と当接することにより、ハンマー１８の回動時における上限を規制している。
【００３７】
ここで、ストッパ３６の鍵盤シャーシ１２への取り付けについて説明すると、リブ部１２ｃのストッパ３６を配置しようとする部位、即ち、第１シャーシ部１２ａの直下に位置するリブ部１２ｃの部位に第３切り欠き部３８が形成されており、この第３切り欠き部３８の高さｈ３は、ストッパ３６の高さｈ４より若干小さく設定されている。なお、第３切り欠き部３８は、隣り合うリブ部１２ｃ同士において、同じ位置に形成されている。
【００３８】
また、リブ部１２ｃの第３切り欠き部３８の上部端面３８ａは、曲面に形成されている。
【００３９】
そして、ストッパ３６を鍵盤シャーシ１２へ取り付けるには、リブ部１２ｃ間の空隙Ｇからストッパ３６を弾性変形させながら第３切り欠き部３８内に押し込んで挿入するものである。そうすると、ストッパ３６は、第３切り欠き部３８の上部端面３８ａと第１シャーシ部１２ａの下面との間に挟持されて保持され、第３切り欠き部３８から容易に脱落することはない。
【００４０】
そして、第３切り欠き部３８の上部端面３８ａが曲面に形成されているので、第３切り欠き部３８内へストッパ３６を挿入する際に容易に押し込むことができる。
【００４１】
しかも、ストッパ３６を鍵１０の整列方向（図５における矢印Ａ方向）の全幅にわたって延長するように構成すると、ストッパ３６を第３切り欠き部３８へ押し込むという簡単な作業により、全てのハンマー１８に対応してストッパ３６を配設することができる。
【００４２】
なお、ハンマー１８は、主に鉛や鉄などのような質量の重い金属材料により形成されていて、後部１８ｃ側が重くなるように構成されている。
【００４３】
また、図５において、理解を容易にするために斜線で示した部位Ｄは、第２シャーシ部１２ｂに形成された孔である。
【００４４】
以上の構成において、図１に示す状態（鍵１０を離鍵した状態）から鍵１０を押鍵すると、鍵１０のアクチュエータ１０ａによりハンマー１８のアクチュエータ受け部１８ｂが押下されて、ハンマー１８はＵ溝支持部２０に回動自在に支持された回動軸１８ａを支点として実線矢印Ｂ方向に回動動作し、ハンマー１８の腕部１８ｄがストッパ３６に当接することによりその回動範囲が規制される（図１において二点鎖線で示したハンマー１８は、ハンマー１８の腕部１８ｄがストッパ３６に当接した状態を示している。）。こうしたハンマー１８の回動動作の慣性によって重厚なタッチ感を得ることができる。
【００４５】
そして、押鍵された鍵１０を離鍵すると、ハンマー１８は自重により回動軸１８ａを支点として破線矢印Ｃ方向に回動動作し、このハンマー１８の回動動作に伴ってアクチュエータ受け部１８ｂにより鍵１０のアクチュエータ１０ａが押し上げられ、鍵１０とハンマー１８とは図１において実線で示す状態に復帰する。ここで、離鍵動作の際における破線矢印Ｃ方向へのハンマー１８の回動動作が進むと、ハンマー１８の後部１８ｃがストッパ２８に衝突して両者が当接することになり、これによりハンマー１８の回動範囲が規制されることになって、鍵１０とハンマー１８とが図１に示す状態に復帰することになるものである。
【００４６】
そして、ストッパ２８は第１切り欠き部３０の下部端面３０ａと第２シャーシ部１２ｂの上面との間に挟持されているので、離鍵動作の際におけるハンマー１８の回動により、ストッパ２８がハンマー１８の当接による衝撃を受けても、ストッパ２８が鍵盤シャーシ１２から容易に脱落することはない。
【００４７】
また、ストッパ３６は第２切り欠き部３６の上部端面３８ａと第１シャーシ部１２ａの下面との間に挟持されているので、押鍵動作の際におけるハンマー１８の回動により、ストッパ３６がハンマー１８の当接による衝撃を受けても、ストッパ３６が鍵盤シャーシ１２から容易に脱落することはない。
【００４８】
なお、上記した実施の形態においては、ハンマーの回動範囲の下限を規制するストッパ２８を第１切り欠き部３０の下部端面３０ａと第２シャーシ部１２ｂの上面との間に挟持して鍵盤シャーシ１２に取り付け、ハンマーの回動範囲の上限を規制するストッパ３６を第３切り欠き部３８の上部端面３８ａと第１シャーシ部１２ａの下面との間に挟持して鍵盤シャーシ１２に取り付けるようにしたが、ストッパ２８とストッパ３６とのいずれか一方を上記した実施の形態に示すようにして鍵盤シャーシ１２に取り付け、他方を両面テープや接着剤などを用いて鍵盤シャーシに接着して取り付けるようにしてもよい。
【００４９】
【発明の効果】
本発明は、以上説明したように構成されているので、リブにより補強した樹脂製の鍵盤シャーシに、容易に脱落することがないようにハンマーの回動範囲を規制するストッパを取り付けることができるようになるという優れた効果を奏する。
【図面の簡単な説明】
【図１】本発明による鍵盤装置の鍵機構の実施の形態の一部を破断して示した側面図である。
【図２】図１のＩＩ−ＩＩ線による部分断面図である。
【図３】図１のＩＩＩ−ＩＩＩ線による部分断面図である。
【図４】図３の部分拡大図である。
【図５】図１に示す鍵盤装置の鍵機構の平面図である。
【符号の説明】
１０                      鍵
１０ａ                    アクチュエータ
１２                      鍵盤シャーシ
１２ａ                    第１シャーシ部
１２ｂ                    第２シャーシ部
１２ｃ                    リブ部
１４                      回動支持軸
１８                      ハンマー
１８ａ                    回動軸
１８ｂ                    アクチュエータ受け部
２８、３６                ストッパ
３０                      第１切り欠き部
３０ａ                    下部端面
３２                      第２切り欠き部
３４                      段部
３８                      第３切り欠き部
３８ａ                    上部端面
【図１】
0003819136.tif 000002
【図２】
0003819136.tif 000003
【図３】
0003819136.tif 000004
【図４】
0003819136.tif 000005
【図５】
0003819136.tif 000006